(57)【特許請求の範囲】
【請求項１】
筒状の基部の一方の側に鍔部が設けられ、前記基部の他方の側の端面がほぼ平面とされ、
前記鍔部に対して、先端から順に第１の高周波信号の伝送に割り当てられた棒状の第１の電極と、前記第１の高周波信号に対する接地に割り当てられたリング状の第２の電極と、第２の高周波信号の伝送に割り当てられた第３の電極と、前記第２の高周波信号に対する接地に割り当てられた第４の電極が絶縁部を介して順次設けられ、
前記第１の電極が前記基部の前記端面のほほ中心位置から基板接続用のピンとして突出され、
前記第２の電極と固定され、前記第１の電極の延長方向に延びる第１の延長電極が絶縁物を介して前記第１の電極の外周側に前記第１の電極とほぼ平行に配置されると共に、基板接続用の第１のコンタクトとして前記端面から突出され、
前記第３の電極と固定され、前記第１の電極の延長方向に延びる第２の延長電極が絶縁物を介して前記第１の延長電極の外周側に前記第１の電極とほぼ平行に配置されると共に、基板接続用の第２のコンタクトとして前記端面から突出され、
前記第４の電極と固定され、前記第１の電極の延長方向に延びる第３の延長電極が絶縁物を介して前記第２の延長電極の外周側に配置されると共に、前記端面から基板接続用の第３のコンタクトとして突出され、
横断面において、前記中心電極及び前記第１の延長電極の対向間隔、前記第１の延長電極及び前記第２の延長電極の対向間隔、並びに前記第２の延長電極及び前記第３の延長電極の対向間隔がほぼ等しいものとされた接続装置。
【請求項２】
配線基板を有し、前記ピン、前記第１、第２及び第３のコンタクトが前記配線基板上の導体パターンと接続され、前記配線基板を介して外部との接続を行う請求項１に記載の接続装置。
【請求項３】
前記配線基板がリジッド基板、フレキキシブル基板およびリジッドフレキシブル基板の何れかである請求項２に記載の接続装置。
【請求項４】
筒状の基部の一方の側に鍔部が設けられ、前記基部の他方の側の端面がほぼ平面とされ、
前記鍔部に対して、先端から順に第１の高周波信号の伝送に割り当てられた棒状の第１の電極と、前記第１の高周波信号に対する接地に割り当てられたリング状の第２の電極と、第２の高周波信号の伝送に割り当てられた第３の電極と、前記第２の高周波信号に対する接地に割り当てられた第４の電極が絶縁部を介して順次設けられ、
前記第１の電極が前記基部の前記端面のほほ中心位置から基板接続用のピンとして突出され、
前記第２の電極と固定され、前記第１の電極の延長方向に延びる第１の延長電極が絶縁物を介して前記第１の電極の外周側に前記第１の電極とほぼ平行に配置されると共に、基板接続用の第１のコンタクトとして前記端面から突出され、
前記第３の電極と固定され、前記第１の電極の延長方向に延びる第２の延長電極が絶縁物を介して前記第１の延長電極の外周側に前記第１の電極とほぼ平行に配置されると共に、基板接続用の第２のコンタクトとして前記端面から突出され、
前記第４の電極と固定され、前記第１の電極の延長方向に延びる第３の延長電極が絶縁物を介して前記第２の延長電極の外周側に配置されると共に、前記端面から基板接続用の第３のコンタクトとして突出され、
横断面において、前記中心電極及び前記第１の延長電極の対向間隔、前記第１の延長電極及び前記第２の延長電極の対向間隔、並びに前記第２の延長電極及び前記第３の延長電極の対向間隔がほぼ等しいものとされた接続装置が接続自在とされた受信装置。
【発明の詳細な説明】
【技術分野】
【０００１】
本開示は、例えば丸形プラグに適用できる接続装置並びに接続装置が接続される受信装置に関する。
【背景技術】
【０００２】
携帯用音楽プレイヤに用いられるプラグとしては、従来から、規格化された２〜４極の多極プラグが多数提供されている。プラグの種類としては、標準（６．３mm径の端子）、小型（ミニプラグと呼ばれ、３．５mm径の端子）、超小型（マイクロプラグと呼ばれ、２．５mm径の端子）の種類がある。さらに、近年の携帯用音楽プレイヤーは多様な機能を具備しており、ノイズキャンセリングを行ったり、多機能のリモートコントロール機能を持つ必要性等から、より極数の多いプラグも使用されている。【０００３】
プラグの規格は、日本工業規格、社団法人電子情報技術産業協会（JEITA）規格等で定められている。プラグの後端側（ジャックに挿入される先端側と反対端）には、芯棒の電極、円筒状の複数の電極が延長して露出されている。すなわち、電極に対して、直接線材を半田付けするために電極の延長部が筍構造となっている。【０００４】
例えば特許文献１には、アンテナケーブルとイヤホンケーブルと音声信号用の３極プラグとから構成されるアンテナ装置が記載されている。このアンテナ装置では、ステレオ信号の伝送用ケーブルとプラグとの間に高周波信号遮断部としての中継部を設けるために、中継部が実装された配線基板がプラグに接続される構成とされている。すなわち、筍状に基板を切り欠いて基板上の導電パターンと電極とを接続するようにしている。
【先行技術文献】
【特許文献】
【０００５】
【特許文献１】特開２０１１−１７２１２５号公報
【発明の概要】
【発明が解決しようとする課題】
【０００６】
上述した接続方法は、作業時間がかかり、接続部の強度も低下すると言う問題もあった。さらに、基板または線材が接続される部分が筍状であって、複数の電極が積層されており、高周波的な各端子のアイソレーションおよび伝送特性については、非常に悪いものになっていた。さらに、筍状の接続部を設けることは、プラグの形状を大きくなる問題があった。【０００７】
したがって、本開示の目的は、配線基板との接続を容易且つ強固とでき、高周波的なアイソレーションおよび伝送特性が良好で、さらに、より小型な接続装置並びに接続装置が接続される受信装置を提供することにある。
【課題を解決するための手段】
【０００８】
本開示は、  筒状の基部の一方の側に鍔部が設けられ、基部の他方の側の端面がほぼ平面とされ、
鍔部に対して、先端から順に第１の高周波信号の伝送に割り当てられた棒状の第１の電極と、第１の高周波信号に対する接地に割り当てられたリング状の第２の電極と、第２の高周波信号の伝送に割り当てられた第３の電極と、第２の高周波信号に対する接地に割り当てられた第４の電極が絶縁部を介して順次設けられ、
第１の電極が基部の端面のほほ中心位置から基板接続用のピンとして突出され、
第２の電極と固定され、第１の電極の延長方向に延びる第１の延長電極が絶縁物を介して第１の電極の外周側に第１の電極とほぼ平行に配置されると共に、基板接続用の第１のコンタクトとして端面から突出され、
第３の電極と固定され、第１の電極の延長方向に延びる第２の延長電極が絶縁物を介して第１の延長電極の外周側に第１の電極とほぼ平行に配置されると共に、基板接続用の第２のコンタクトとして端面から突出され、
第４の電極と固定され、第１の電極の延長方向に延びる第３の延長電極が絶縁物を介して第２の延長電極の外周側に配置されると共に、端面から基板接続用の第３のコンタクトとして突出され、
横断面において、中心電極及び第１の延長電極の対向間隔、第１の延長電極及び第２の延長電極の対向間隔、並びに第２の延長電極及び第３の延長電極の対向間隔がほぼ等しいものとされた接続装置である。
本開示は、かかる接続装置が接続自在とされた受信装置である。
【発明の効果】
【０００９】
少なくとも一つの実施形態によれば、棒状電極の後端付近において、接続端子が突出されているので、接続端子と基板との接続が容易となる。さらに、全ての電極同士が同心円状に積層されていないので、高周波的なアイソレーションおよび伝送特性を良好とできる。さらに、後ろ側の電極部分を省略できるので、形状を小型とできる。なお、ここに記載された効果は必ずしも限定されるものではなく、本開示中に記載されたいずれかの効果であっても良い。
【図面の簡単な説明】
【００１０】
【図１】従来の４極プラグの正面図、断面図および側面図である。
【図２】本開示の第１の実施の形態の正面図および側面図である。
【図３】本開示の第１の実施の形態のＡ−Ａ’線断面図、Ｂ−Ｂ’線断面図およびＣ−Ｃ’線断面図である。
【図４】本開示の第１の実施の形態における配線基板の両面を示す図である。
【図５】本開示の第１の実施の形態の接続形態の説明に用いる略線図である。
【図６】本開示の第１の実施の形態の通過特性を示すグラフである。
【図７】従来の４極プラグの通過特性を示すグラフである。
【図８】本開示の第２の実施の形態の正面図および側面図である。
【図９】本開示の第２の実施の形態における配線基板の両面を示す図である。
【図１０】本開示の第２の実施の形態と接続される電子機器の接続部の第１の例の回路図である。
【図１１】本開示の第２の実施の形態と接続される電子機器の接続部の第２の例の回路図である。
【図１２】本開示の第２の実施の形態と接続される電子機器の接続部の第３の例の回路図である。
【発明を実施するための形態】
【００１１】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
以下の説明は、下記の順序にしたがってなされる。
＜１．従来の４極プラグ＞
＜２．第１の実施の形態＞
＜３．第２の実施の形態＞
＜４．変形例＞
【００１２】
＜１．従来の４極プラグ＞
本開示の説明の理解を容易とするために、従来の４極プラグについて、図１を参照して説明する。図１Ａは、４極プラグの正面図、図１Ｂは、図１Ａの中心線の断面図、図１Ｃは、側面図である。図１に示すように、第１電極としての棒状電極（以下、チップと適宜称する）１の先端部分が露出され、チップ１の先端側から順番に、複数の筒状電極が順次表面に露出している。
【００１３】
すなわち、先端側（チップ１の露出部）から順に第２電極としてのリング２と、第３電極としてのリング３と、第４電極としてのスリーブ４とが設けられている。チップ１とリング２とを互いに絶縁するための絶縁部（カラー）５と、リング２とリング３とを互いに絶縁するための絶縁部（カラー）６と、リング３とスリーブ４とを互いに絶縁するための絶縁部（カラー）７とが設けられている。カラー５、６および７は、樹脂例えばポリオキシメチレン（ＰＯＭ）系の樹脂である。インサート成形等によって、プラグが製造される。
【００１４】
スリーブ４には、鍔部８が形成されている。鍔部８より後ろ側に、スリーブ４が延長されている。上述したチップ１、リング２、リング３が同様に、鍔部８より後ろ側に延長されている。円筒状の各電極がチップ１を芯として同心円状の断面を持つように積層され、電極の円筒面の間に上述したカラー５、６および７と一体の絶縁部材が介在して電極間が絶縁されている。
【００１５】
すなわち、鍔部８より後ろ側において、その前側と同様に、チップ１およびリング２がカラー５によって絶縁され、リング２およびリング３がカラー６によって絶縁され、リング３およびスリーブ４がカラー７によって絶縁される。各電極と例えば線材を半田付けするために、鍔部８の後ろ側では、各電極の径が順次細くなる形状（筍状）とされている。
【００１６】
上述した４極プラグのジャックに対して挿入される側の各寸法が基準面（鍔部８の前側端面）を基準として規格で定められており、規格で寸法が定められているジャックに対して挿入した場合に、各電極の電気的接続が確保されるようになされている。
【００１７】
上述した従来のプラグでは、ケーブルを接続する場合に、順次細くなる形状（筍状）の各電極に対してケーブルを半田付けしていた。さらに、プラグに対して配線基板の導電パターンを接続する場合には、後ろ側の形状に合致する切欠きを配線基板に形成し、各電極と導電パターンとを半田付けしていた。これらの接続方法は、作業時間がかかり、量産に不向きであり、さらに、機械的な強度が不足し、断線のおそれがあった。
【００１８】
さらに、プラグを通じて高周波信号を伝送する場合には、電極同士が絶縁材を介在させて積層されているので、電極間に容量成分が形成され、高周波信号のアイソレーションが不十分となり、ロスが大きくなる問題があった。特に、上述した４極プラグの場合において、電極のペアを使用して二つの高周波信号伝送路を形成することが難しい問題があった。
【００１９】
さらに、鍔部の後ろ側に４個の電極を露出させた接続部を設けるので、接続用の部分の長さが長くなり、プラグの形状が比較的大きくなる問題があった。本開示は、これらの問題を解決しようとするものである。
【００２０】
＜２．第１の実施の形態＞
以下、本開示を４極プラグに対して適用した第１の実施の形態について詳細に説明する。図２Ａは、第１の実施の形態の正面図であり、図２Ｂは、第１の実施の形態の側面図である。さらに、図３Ａは、図２ＢにおけるＡ−Ａ’線断面図であり、図３Ｂは、図２ＢにおけるＢ−Ｂ’線断面図であり、図３Ｃは、図３ＡにおけるＣ−Ｃ’線断面図である。
【００２１】
上述した従来の４極プラグと同様に、ジャックに対して挿入される側に先頭から順番に、第１電極としての棒状のチップ１１、第２電極としての円筒状のリング１２、第３電極としての円筒状のリング１３、第４電極としての円筒状のスリーブ１４が設けられている。
【００２２】
チップ１１とリング１２とを互いに絶縁するための絶縁部（カラー）１５と、リング１２とリング１３とを互いに絶縁するための絶縁部（カラー）１６と、リング１３とスリーブ１４とを互いに絶縁するための絶縁部（カラー）１７とが設けられている。カラー１５、１６および１７は、樹脂例えばポリオキシメチレン（ＰＯＭ）系の樹脂である。一例として、インサート成形等によって、プラグが製造される。
【００２３】
スリーブ１４の後方には、鍔部１８を有する円柱状の基部１９が設けられる。基部１９は、カラー１５、１６、１７と一体に樹脂成形されたものである。基部１９の端面に円形の凹部が形成され、この凹部に対して樹脂からなるリアカラー２０が配置されている。なお、リアカラー２０は、カラー１５、１６、１７と一体また分離して形成される。リアカラー２０に対して、後述するように、配線基板が取り付けられる。
【００２４】
上述した４極プラグのジャックに対して挿入される側の各寸法が基準面（鍔部１８の前側端面）を基準として規格で定められており、規格で寸法が定められているジャックに対して挿入した場合に、各電極の電気的接続が確保されるようになされている。
【００２５】
リアカラー２０から後外方へピン２１と、コンタクト２２、コンタクト２３およびコンタクト２４が突出されている。ピン２１は、チップ１１の中心に形成されている穴にその一端が嵌合され、他端がリアカラー２０の中心から突出される。コンタクト２２、コンタクト２３およびコンタクト２４としては、例えばりん青銅等の弾性を有する金属が使用される。
【００２６】
リング１２に対して、より径が小さいほぼ円筒状の延長電極２５が固定される。延長電極２５が後方に延長され、その中心をピン２１が貫通する。延長電極２５の他端側が細板状に加工され、コンタクト２２としてリアカラー２０の所定位置から突出される。筒状の延長電極２５を設けることによって、ピン２１と延長電極２５の外側の電極との間の高周波的アイソレーションを良好とできる。
【００２７】
リング１３に対して円弧状の断面を有する延長電極２６が固定される。延長電極２６は、延長電極２５の周面の一部と所定の間隔を介して重なって配置される。延長電極２６が後方に延長される。延長電極２６の他端側が細板状に加工され、コンタクト２３としてリアカラー２０の所定位置から突出される。スリーブ１４に対して細板状のコンタクト２４が固定され、コンタクト２４がリアカラー２０の所定位置から突出される。図３Ｃの断面図から分かるように、ピン２１と延長電極２５と延長電極２６とスリーブ１４との横断面方向の間隔がほぼ等しいものとされている。
【００２８】
従来の３．５mm４極ステレオミニプラグの各電極に対する信号割り当ての規格として、ＯＭＴＰ(Open Mobile Terminal Platform)、ＣＴＩＡ(Cellular Telephone Industry Association)等が知られている。
【００２９】
ＯＭＴＰの規格の信号割り当ては、下記に示すものである。
チップ１１：左チャンネル（Ｌ）
リング１２：右チャンネル（Ｒ）
リング１３：マイクロホン
スリーブ１４：グラウンド
【００３０】
ＣＴＩＡの規格の信号割り当ては、下記に示すものである。
チップ１１：左チャンネル（Ｌ）
リング１２：右チャンネル（Ｒ）
リング１３：グラウンド
スリーブ１４：マイクロホン
【００３１】
上述した本開示の第１の実施の形態は、図１に示す従来の４極プラグと比較すると、チップ１１は、チップ１と同様に中心軸を通るが、リング１２、リング１３およびスリーブ１４の筒状電極の重なる区間が少ないものとされている。さらに、配線基板が取り付けられる部分では、ピン形状とされている。さらに、リング１２およびその延長電極２５がチップ１１を覆うように形成されている。さらに、リング１３と接続されたコンタクト２３とスリーブ１４と接続されたコンタクト２４とがリアカラー２０上で１８０度対向する位置に配置されている。よりさらに、ピン２１と延長電極２５と延長電極２６とスリーブ１４との断面方向の間隔がほぼ等しいものとされている。これらの構成によって、ピン２１、コンタクト２２、コンタクト２３およびコンタクト２４間のアイソレーションを良好とできる。
【００３２】
したがって、リング１２およびスリーブ１４を高周波的にグラウンドにすることによって、チップ１１およびリング１２から構成される高周波信号伝送路と、リング１３およびスリーブ１４から構成される高周波信号伝送路とを形成することができる。これらの二つの高周波信号伝送路のアイソレーションは良好であり、高域での減衰が少ないものとできる。したがって、本開示による４極プラグを１個使用するのみで、例えば二つのアンテナの信号を伝送することができる。これにより、従来２個必要であったジャックが１個のジャックで実現することができる。
【００３３】
なお、本開示は、二つの高周波信号伝送路を構成するとに限定されるものではない。例えば一つの高周波信号伝送路と一つのステレオ音声信号伝送路とを構成しても良い。この場合、従来のステレオ音声信号伝送路に使用されていない電極（例えばマイクロホン用電極）を高周波信号伝送用に割り当て、グラウンド用電極を共通グラウンドとするようになされる。
【００３４】
基部１９のリアカラー２０から突出するピン２１、コンタクト２２、コンタクト２３およびコンタクト２４が図４に示す配線基板３１に形成されている穴に対して挿入される。配線基板３１は、二点鎖線で示すように、リアカラー２０が当接する一面３２ａと、他面３２ｂとを有する。なお、図４において、線を施しているのは、配線基板３１に形成されている導電パターンを区別し易くするためである。
【００３５】
配線基板３１の基板として、ガラス・エポキシ基板等のリジッド基板、フレキシブル基板、リジッドフレックス基板を使用することができる。フレキシブル基板は、柔軟性のある材料を基材として用いたものである。リジッドフレックス基板は、硬質な材料と薄く柔軟性のある材料とを一体化したものである。プラグの外形（ストレートまたはＬ字形）に応じて基板の種類が適宜選択される。
【００３６】
配線基板３１には、ピン２１に対応して設けられる穴３３と、コンタクト２２に対応して設けられる穴３４と、コンタクト２３に対応して設けられる穴３５と、コンタクト２４に対応して設けられる穴３６とが形成されている。これらの穴３３、３４および３５は、ハトメ、スルーホールビア等の構成とされており、両面に形成されている導電パターン間を接続するものである。例えばプラグのピン２１およびコンタクト２２，２３，２４と、配線基板３１上の導電パターンとの半田付けは、リアカラー２０がと接していない他面３２ｂ側から行うことができる。したがって、半田付けが容易となる。
【００３７】
配線基板３１の一面および他面に形成される導電パターン、および／または導電パターン上にマウントされる素子等は、使用目的等に応じて適切に選定される。例えば上述したように、二つの高周波信号伝送路を形成する場合では、リング１２およびスリーブ１４が高周波的にグラウンドとされる。これらと接続されているコンタクト２２およびコンタクト２４が穴３４および穴３６にそれぞれ挿入される。穴３４および穴３６は、配線基板３１の一面３２ａにおいて、共通の接地導電パターン３７と接続されるようになされる。
【００３８】
二つの高周波信号伝送路として例えば２本の同軸ケーブルを使用する場合には、接地導電パターン３７が延長され、各同軸ケーブルのシールドの接続部３８ａおよび３８ｂが接地導電パターン３７上に設けられる。４極プラグと同軸ケーブルとの間のインピーダンス調整がなされる。なお、２本の同軸ケーブルを所定の長さに設定することによって、それぞれのシールド線を利用して２本のアンテナを構成することができる。
【００３９】
配線基板３１の他面３２ｂにおいて、穴３４および穴３６と接続される接地導電パターン３９が形成される。穴３３と接続される導電パターン４０および穴３５と接続される導電パターン４１がそれぞれ平行して延長される。導電パターン４０の延長端に同軸ケーブルの芯線接続部４２ａが形成され、導電パターン４１の延長端に同軸ケーブルの芯線接続部４２ｂが形成される。
【００４０】
図５に示すように、上述した本開示による４極プラグが電子機器（テレビジョンチューナ、携帯機器等）５１の４極ジャック５２に対して挿入される。４極ジャック５２としては、従来の規格に合致したものを使用できる。配線基板３１に対して例えばそのシールド線がアンテナとして機能する同軸ケーブル４３および４４が接続されている。
【００４１】
４極ジャック５２の内部には、４極プラグの各電極と接触する電極が設けられている。チップ１１と接する電極と接続される接続端子５３およびリング１２と接する電極と接続される接続端子５４とから一方の高周波信号Ｓ２が出力される。リング１３と接する電極と接続される接続端子５５およびスリーブ１４と接する電極と接続される接続端子５６とから他方の高周波信号Ｓ２が出力される。これらの高周波信号Ｓ１およびＳ２が電子機器５１内のチューナに対して供給される。例えばテレビジョンチューナがダイバーシティ受信方式の構成の場合、一つのジャック５２を設けるのみで、二つのアンテナ信号を受け取ることが可能となる。
【００４２】
本開示の第１の実施の形態による４極プラグの通過特性の測定結果を図６に示す。従来の４極プラグの通過特性の測定結果を図７に示す。一例として、５０ＭHz〜９５０ＭHzの帯域の通過特性を調べた。上述した図４における接続部３８ａおよび４２ａに一方の同軸ケーブルを接続し、接続部３８ｂおよび４２ｂに他方の同軸ケーブルを接続して、各同軸ケーブルを介して測定用の信号を供給し、４極ジャック５２の出力から得られる信号を測定した。本開示による４極プラグに関しては、図５に示す高周波信号Ｓ１の通過特性を実線で示し、高周波信号Ｓ２の通過特性を破線で示す。これらの高周波信号Ｓ１およびＳ２の減衰は、共に−１ｄＢ以内と小さいものとなる。
【００４３】
図１に示すような従来の４極プラグに関しては、高周波伝送路Ｓ１１の通過特性を実線で示し、高周波伝送路Ｓ１２の通過特性を破線で示す。Ｓ１１は、リング３およびスリーブ４による高周波信号伝送路であり、Ｓ１２は、チップ１およびリング２による高周波信号伝送路である。従来の４極プラグの場合では、この通過特性から分かるように、特に、高周波伝送路Ｓ１１の減衰が大きく、使用することが困難である。
【００４４】
＜３．第２の実施の形態＞
上述した本開示の第１の実施の形態は、基部１９のリアカラー２０から突出するピン２１、コンタクト２２、コンタクト２３およびコンタクト２４が配線基板３１に形成されている穴３３、３４および３５に対して挿入され、配線基板３１上の導電パターンと半田付けされる。すなわち、４極プラグの軸方向に対して配線基板３１の面がほぼ直交する位置関係とされている。
【００４５】
第２の実施の形態は、これに対して４極プラグの軸方向に対して配線基板６１の面がほぼ平行する位置関係とするものである。図８は、本開示の第２の実施の形態の正面図および側面図である。上述の第１の実施の形態と同様に、リアカラー２０から後外方へピン２１と、コンタクト２２、コンタクト２３およびコンタクト２４が突出されている。ピン２１と、コンタクト２３と、コンタクト２４とが直径上で整列している。この直径と直交する半径上に、ピン２１とコンタクト２２とが整列している。
【００４６】
第１の実施の形態と同様に、ピン２１は、チップ１１と電気的に接続され、コンタクト２２は、リング１２と電気的に接続され、コンタクト２３は、リング１３と電気的に接続されている。二つの高周波信号伝送路を形成する場合、ピン２１とコンタクト２２（接地）とのペアによって一方の高周波信号伝送路が形成され、コンタクト２３とコンタクト２４（接地）とのペアによって他方の高周波信号伝送路が形成される。高周波信号伝送路の一例がアンテナである。
【００４７】
第２の実施の形態では、ピン２１、コンタクト２３およびコンタクト２４の中の最も高い上端と、コンタクト２２の下端との間に、水平に保持されて配線基板６１の一端側が挿入される。配線基板６１の一面６２ａに形成されている導電パターンの所定箇所とピン２２とが半田付けされ、半田７２によって配線基板６１が固定される。さらに、配線基板６１の他面６２ｂに形成されている導電パターンの所定箇所とピン２１、コンタクト２３およびコンタクト２４とが半田付けされ、半田７１、７３および７４によって配線基板６１が固定される。さらに、ピン２１およびコンタクト２２，２３，２４と、配線基板６１上の導電パターンとの半田付けは、配線基板６１の両面から行うことができる。したがって、半田付けが容易となる。配線基板６１の基板として、ガラス・エポキシ基板等のリジッド基板、リジッドフレックス基板を使用することができる。
【００４８】
図９は、配線基板６１の導電パターンの一例を示す。配線基板６１の一面６２ａ上には、コンタクト２２の半田付けエリア８２と接地導電パターン６３とが形成されている。二つの高周波信号伝送路として例えば２本の同軸ケーブルを使用する場合には、接地導電パターン６３が延長され、各同軸ケーブルのシールドの接続部６４ａおよび６４ｂが接地導電パターン６３上に設けられる。
【００４９】
配線基板６１の他面６２ｂ上には、コンタクト２４の半田付けエリア８４と、ピン２１の半田付けエリア８１と、コンタクト２３の半田付けエリア８３とが形成されている。コンタクト２４の半田付けエリア８４から接地導電パターン６５ａが延長されて形成されている。ピン２１の半田付けエリア８１から導電パターン６６が延長される。同様に、コンタクト２３の半田付けエリア８３から導電パターン６７が延長されて形成されている。接地導電パターン６５ｂ、６５ｃが平行して形成されている。導電パターン６６および６７間に導電パターン６５ｂが形成されている。導電パターン６６の延長端に一方の同軸ケーブルの芯線接続部６８ａが形成され、導電パターン６７の延長端に他方の同軸ケーブルの芯線接続部６８ｂが形成される。
【００５０】
上述した第１の実施の形態の場合、図５を参照して説明したように、４極プラグが電子機器（テレビジョンチューナ、携帯機器等）５１の従来の規格に合致した４極ジャック５２に対して挿入され、配線基板３１に対して同軸ケーブル４３および４４が接続されている。例えばテレビジョンチューナがダイバーシティ受信方式の構成の場合、一つのジャック５２を設けるのみで、二つのアンテナ信号を受け取ることが可能となる。
【００５１】
「電子機器の接続部」
第１、第２の実施の形態による接続装置は、図１０に示すように、配線基板６１が半田付けされたものであり、アンテナとイヤホンに対するオーディオ伝送ケーブルとを共用することができる。例えば配線基板６１に接続されている２本の同軸ケーブルのそれぞれが左右の各チャンネルのイヤホンに接続されている。この場合、２本の同軸ケーブルの配線基板６１と接続されていない側にジャックを接続して、ジャックに対してイヤホンケーブルのプラグを接続し、イヤホンケーブルに対してイヤホンを接続するようにしても良い。２本の同軸ケーブルの長さが受信しようとする周波数に対応したものに設定されている。
【００５２】
一例として、下記のように信号割り当てが規定されている。
チップ１１：左チャンネル（Ｌ）
リング１２：右チャンネル（Ｒ）
リング１３：グラウンド
スリーブ１４：マイクロホン
【００５３】
４極プラグが挿入される電子機器５１の４極ジャック５２の内部には、４極プラグの各電極と接触する電極が設けられている。チップ１１と接する電極と接続される接続端子５３に対してフエライトビーズ９１およびコンデンサ９２が並列に接続されている。フエライトビーズ９１は、必要とする周波数では高いインピーダンスを持ち、オーディオ周波数帯では、低い抵抗値を持つ高周波減衰素子である。フエライトビーズの代わりにコイルを使用しても良い。フエライトビーズ９１を介してオーディオ信号（Ｌチャンネル）が供給され、コンデンサ９２を介して高周波信号Ｓ２が出力される。
【００５４】
リング１２と接する電極と接続される接続端子５４がコンデンサ９３を介して高周波的に接地され、高周波信号Ｓ２に対する接地がなされる。接続端子５４とコンデンサ９３との間からオーディオ信号（Ｒチャンネル）が供給される。
【００５５】
リング１３と接する電極と接続される接続端子５５がコイル９４を介して接地（オーディオ信号に対する接地）されると共に、コンデンサ９５に接続され、コンデンサ９５を介して高周波信号Ｓ１が取り出される。オーディオ信号に関しての接地は、左右のチャンネルで共通とされている。
【００５６】
スリーブ１４と接する電極と接続される接続端子５６がコンデンサ９６を介して高周波的に接地されると共に、接続端子５６からフエライトビーズ９７を介してマイクロホン信号が取り出される。例えばテレビジョンチューナがダイバーシティ受信方式の構成の場合、一つのジャック５２を設けるのみで、イヤホンに対して左右のチャンネルのオーディオ信号を伝送できると共に、二つのアンテナ信号Ｓ１およびＳ２を受け取ることが可能となる。
【００５７】
図１１は、電子機器５１の接続部の第２の構成例を示す。第２の構成例は、アンテナケーブルがモノポールアンテナの場合に、図１０の構成におけるコンデンサ９６を省略するようにしたものである。
【００５８】
図１２は、アンテナケーブルがモノポールアンテナの場合でかつ、接続端子５６に接続される電子機器５１の接続部の第３の構成例を示す。図１２に示すように、接続端子５５をフエライトビーズ９４を介して接地（オーディオ信号に対する接地）し、接続端子５６に対してコンデンサ９６およびフエライトビーズ９７を並列に接続する。そして、コンデンサ９６を介して高周波信号Ｓ１を取り出し、フエライトビーズ９７を介してマイクロホン信号を取り出すようになされる。
【００５９】
＜４．変形例＞
以上、本開示の実施の形態について具体的に説明したが、上述の各実施の形態に限定されるものではなく、本開示の技術的思想に基づく各種の変形が可能である。例えば、上述の実施の形態において挙げた構成、方法、工程、形状、材料および数値などはあくまでも例に過ぎず、必要に応じてこれと異なる構成、方法、工程、形状、材料および数値などを用いても良い。例えば第１の実施の形態は、４極プラグの例であるが、５極以上のプラグに対しても本開示を適用することができる。さらに、高周波信号の入力のみならず、高周波信号を出力する場合に対しても本開示を適用できる。
【符号の説明】
【００６１】
１１・・・チップ
１２・・・リング
１３・・・リング
１４・・・スリーブ
１９・・・基部
２０・・・リアカラー
２１・・・ピン
２２，２３，２４・・・コンタクト
２５，２６・・・延長電極
３１，６１・・・配線基板
３３，３４，３５，３６・・・穴
５２・・・４極ジャック
【図１】
0006580991.tif 000002
【図２】
0006580991.tif 000003
【図３】
0006580991.tif 000004
【図４】
0006580991.tif 000005
【図５】
0006580991.tif 000006
【図６】
0006580991.tif 000007
【図７】
0006580991.tif 000008
【図８】
0006580991.tif 000009
【図９】
0006580991.tif 000010
【図１０】
0006580991.tif 000011
【図１１】
0006580991.tif 000012
【図１２】
0006580991.tif 000013